(57)【要約】【課題】  釣り場の地区に合わせて、釣果を挙げるための日付と時間帯が、分かりやすく簡単に与えられる潮時表を提供する。【解決手段】  釣り場所の地区ごとに、地区名、日付、曜日、月齢とともに潮汐の潮名、満潮・干潮の時刻を表にして掲載した潮時表において、海峡や瀬戸など特定の条件を必要とする地区には、前記した項目とともに、旧暦、満潮時・干潮時の潮高、潮流の方向、潮流の転流時刻、潮流の最強流速、日の出・日の入りの時刻のうち、その地区で必要と思われる項目を加えて一覧に表記している。【選択図】図１
0003148601.tif 000002
【実用新案登録請求の範囲】
【請求項１】
地区ごとに、地区名、日付、曜日、月齢とともに潮汐の潮名、満潮・干潮の時刻を表にして掲載した潮時表において、特定の地区には、前記の項目とともに、旧暦、満潮時・干潮時の潮高、潮流の方向、潮流の転流時刻、潮流の最強流速、日の出・日の入りの時刻のうち、その地区で必要な項目を加えて一覧に表記していることを特徴とする潮時表。
【考案の詳細な説明】
【技術分野】
【０００１】本考案は、防波堤釣り・磯釣り・船釣り等に用いる潮時表に関する。
【背景技術】
【０００２】従来海上保安庁の潮時表は、海釣りのための情報誌ではなく、日本沿岸地域の潮汐の推移を掲載することが目的である。そのため海釣り等のための情報を得ることができても判読しづらいものである。
このため、海釣りなどのための潮汐表が提案されており、たとえば、特許文献１には、日付けと、満潮時刻と、満潮時の潮高と、干潮時刻と、干潮時の潮高と、満潮から干潮及び干潮から満潮に至るまでの時間当たりの潮高の変化を表した潮汐表が示されており、特許文献２には、暦日、曜日、月齢，潮汐の大小、満潮干潮別潮汐発生時刻の欄を設け、満潮干潮別潮汐発生時刻を右下がりの斜めの欄に表示し、時刻を読みやすくした潮汐表が提案されている。
また、特許文献３には、年月日と地域を入力することにより、その地域の潮時刻、潮高、潮時時差を表示させる電子潮時表が示されている。【０００３】
【特許文献１】実用新案登録第３０４１７７２号
【特許文献２】実用新案登録第３０１５４３５号
【特許文献３】実開平２−１４５４５６号公報
【考案の開示】
【考案が解決しようとする課題】
【０００４】海釣りなどで多くの魚を得るためには、それぞれの釣り場に合わせて、いくつかの条件があり、これらの条件を満たすことによって比較的容易に釣果を挙げることができる。
その条件の１は潮汐の潮名である。
大潮は満潮時の潮高と干潮時の潮高の水位差が大きく，小潮は水位差が小さくなり、大潮→中潮→小潮→長潮→若潮→中潮→大潮と推移する。潮位が大きければ海中の海水の動きが活発になり、そのため海中の酸素が豊富になりプランクトンの発生がより活性化され、プランクトンを捕食する魚が多く集まり活発に動く状態になる。したがって、釣果を挙げるためには、大潮及び大潮の後に発生する中潮の時がよい。【０００５】条件の２は満潮・干潮の時刻で、海面が上げから下げ、または下げから上げに変わる瞬間の時刻であり、潮止まり（潮が動かない）の状態になる。
海水が速く動く時間帯には海中の海水の動きが活発になり、そのため海中の酸素が豊富になり、徐々にプランクトンの発生がより活性化されて次第にプランクトンを捕食する魚が多く集まり活発に動く状態になる。また、多くの魚は、満潮時になると浅場に寄ってきて釣り易くなり、干潮時になると沖の深場に移動するため釣りづらくなる。したがって、釣果を挙げる時間帯は、海水が穏やかに動く満潮前の２時間及び満潮後の２時間である。【０００６】条件の３は満潮・干潮の潮高である。
潮高は、これ以上海面が下がらないと考えられる干潮時の海面を基準面として、この基準面から上の高さを示すものである。これは、釣果を挙げる時間帯である満潮前の２時間及び満潮後の２時間の具体的な数値として、満潮・干潮の潮高の度合いを示し、参考にするものである。【０００７】条件の４は、日の出・日の入りの時刻である。
太陽光線により海水の温度は日の出とともに上昇し、日の入りから下降する。夜が白々と明けるころから朝日が昇るまでの時間帯、夕焼けが始まるころから太陽が沈むまでの時間帯は、海水の温度が著しく変化するので海中の酸素が豊富になり、プランクトンの発生がより活性化され、プランクトンを捕食する魚が多く集まり活発に動く状態になる。また、魚からも捕食するプランクトンを目視しやすい状態になる。よって、釣果を挙げる時間帯は日の出前後の約２時間及び日の入り前後の約２時間である。【０００８】条件の５は、潮流の流転時刻である。
潮汐に伴う海水の周期的な流れを潮流と言い、海峡や瀬戸などでは強い潮流が多く発生する。強い潮流は一定の方向に発生し、およそ６時間で反対方向に変わり、潮が動かない→穏やかに動く→速く動く→穏やかに動く→潮が動かない、の周期で動く。潮流が速く動くときは、満潮・干潮の発生も伴って海中は大きく攪拌され、これにより海中の酸素が非常に豊富になり、プランクトンの発生がより一層活性化され、徐々にプランクトンを捕食する魚が多く集まり始め、次第に活発に動く状態になる。したがって、釣果を挙げる時間帯は、潮流の始まりの時間（潮流の流転時刻）の前の約２時間および、後の約１時間の潮流が穏やかに動く時間帯である。【０００９】条件の６は、潮流の最強流速である。
潮流の最強流速は、潮流が最も速く動く時の速度であり、ノットで表示される。釣果を挙げる時間帯の潮流の始まりの時間（潮流の流転時刻）の前の約２時間および、後の約１時間の時間帯の具体的な数値として、潮流の速さの度合を示し参考にするものである。【００１０】以上の６つの条件のうち、第１の条件である潮汐の潮名、第２の条件である満潮・干潮の時刻、第３の条件である満潮・干潮の潮高は、従来の潮汐表にも示されており、これらの項目を参考にすることができるが、環境の異なる場所で釣果を挙げるためには、場所に応じた潮流の方向や速さなどの条件を考慮する必要があり、簡単な潮汐表にはそれらの条件に該当する項目は記載されておらず、頻繁に訪れた釣り場での経験に頼っており、初めての釣り場や特定の地区などにおいては従来の潮汐表の資料だけでは不十分であった。
【課題を解決するための手段】
【００１１】本考案は、地区ごとに、地区名、日付、曜日、月齢とともに潮汐の潮名、満潮・干潮の時刻を表にして掲載した潮時表において、特定の地区には、前記の項目とともに、旧暦、満潮時・干潮時の潮高、潮流の方向、潮流の転流時刻、潮流の最強流速、日の出・日の入りの時刻のうち、その地区で必要と思われる項目を加えて一覧に表記している。【００１２】このような潮時表は、単独又は数か所の地区ごとに数か月あるいは１年間分として冊子に作成するのが好ましく、また、インターネットを通じて掲載し、携帯電話等に表示するようにすることも可能である。
【考案の効果】
【００１３】本考案は、釣り場の地区ごとに月齢、潮汐の潮名、満潮・干潮の時刻、潮高を表にして掲載した潮時表において、特定の地区には、潮流の方向、潮流の転流時刻、潮流の最強流速を加えて表記し、さらに必要と思われる地区には、日の出・日の入りの時刻を加えて表記しているので、目的とする地区の表を見れば、その地区において釣果を挙げるために必要な条件を満たすためのデータを直ちに読み取ることができ、釣りなどに適した日時を的確に選択できる効果が得られる。【００１４】また、磯釣りや船釣りにおいても、事前に本考案の潮時表によりその地区の詳しい条件を知って参考にすれば、波や暗礁などによる事故を未然に防ぐことができる。
【考案を実施するための最良の形態】
【００１５】図１は潮流が速く、流れの方向が変化する地区、たとえば下関の壇之浦地区の実施例を示す正面図で、（ａ）は表の左側欄、（ｂ）は表の右側欄を示している。１は日付、２は曜日、３は旧暦、４は月齢（月の満ち欠け）、５は潮汐の潮名、６は満潮の時刻、７は満潮時の潮高、８は干潮の時刻、９は干潮時の潮の高さ、１０は地区名で、これら左側は従来の表とほぼ同様であるが、これに加えて、潮流を発生する海峡または瀬戸の名称１１、潮流の方向１２、流れの方向ごとの潮流の流転時刻１３と潮流の最強流速１４、さらに日の出の時刻１５、日の入りの時刻１６の項目を並べて表示している。【００１６】図２は別の実施例で、明石・洲本地区の潮時表で、左側欄（ａ）に、日付１、曜日２、旧暦３、潮汐の潮名５、明石における満潮の時刻６、干潮の時刻８、洲本における満潮の時刻６、干潮の時刻８を表示し、右側欄（ｂ）に、潮流を発生する海峡の名称１１、潮流の方向１２、流れの方向ごとの潮流の流転時刻１３、潮流の最強流速１４、日の出の時刻１５、日の入りの時刻１６を表示した項目を記載している。【００１７】図３はさらに別の実施例で、名古屋港の潮時表で、満潮の時刻６、干潮の時刻８に加えて、日の出の時刻１５、日の入りの時刻１６を加えている。【００１８】図４はさらに別の実施例で、１年のカレンダーに大潮に該当する日を網掛けで記載している。
【図面の簡単な説明】
【００１９】
【図１】本考案の実施例で、下関の壇之浦地区の表を示す正面図である。
【図２】本考案の別の実施例で、明石・洲本地区の表を示す正面図である。
【図３】本考案のさらに別の実施例で、名古屋港の表を示す正面図である。
【図４】本考案のさらに別の実施例で、１年のカレンダーを示す正面図である。
【記載している。符号の説明】
【００２０】  １  日付
２  曜日
３  旧暦
４  月齢
５  潮汐の潮名
６  満潮の時刻
７  満潮時の潮高
８  干潮の時刻
９  干潮時の潮高
１０  地区名
１１  潮流を発生する場所
１２  潮流の方向
１３  潮流の流転時刻
１４  潮流の最強流速
１５  日の出の時刻
１６  日の入りの時刻
【図１】
0003148601.tif 000003
【図２】
0003148601.tif 000004
【図３】
0003148601.tif 000005
【図４】
0003148601.tif 000006
【手続補正書】
【提出日】平成20年8月25日(2008.8.25)
【手続補正１】
【補正対象書類名】実用新案登録請求の範囲
【補正対象項目名】全文
【補正方法】変更
【補正の内容】
【実用新案登録請求の範囲】
【請求項１】
地区ごとに、地区名、日付、曜日、月齢、潮汐の潮名、満潮・干潮の時刻、満潮時・干潮時の潮高を表にして掲載した潮時表において、潮流の変化が発生する地区には、前記の項目とともに、旧暦、潮流の方向、潮流の転流時刻、潮流の最強流速、日の出・日の入りの時刻のうち、その地区で必要な項目を加えて一覧に掲載してなる潮時表。
【手続補正２】
【補正対象書類名】明細書
【補正対象項目名】全文
【補正方法】変更
【補正の内容】
【考案の詳細な説明】
【技術分野】
【０００１】本考案は、防波堤釣り・磯釣り・船釣り等に用いる潮時表に関する。
【背景技術】
【０００２】従来海上保安庁の潮時表は、海釣りのための情報誌ではなく、日本沿岸地域の潮汐の推移を掲載することが目的である。そのため海釣り等のための情報を得ることができても判読しづらいものである。
このため、海釣りなどのための潮汐表が提案されており、たとえば、特許文献１には、日付けと、満潮時刻と、満潮時の潮高と、干潮時刻と、干潮時の潮高と、満潮から干潮及び干潮から満潮に至るまでの時間当たりの潮高の変化を表した潮汐表が示されており、特許文献２には、暦日、曜日、月齢，潮汐の大小、満潮干潮別潮汐発生時刻の欄を設け、満潮干潮別潮汐発生時刻を右下がりの斜めの欄に表示し、時刻を読みやすくした潮汐表が提案されている。
また、特許文献３には、年月日と地域を入力することにより、その地域の潮時刻、潮高、潮時時差を表示させる電子潮時表が示されている。【０００３】
【特許文献１】実用新案登録第３０４１７７２号
【特許文献２】実用新案登録第３０１５４３５号
【特許文献３】実開平２−１４５４５６号公報
【考案の開示】
【考案が解決しようとする課題】
【０００４】海釣りなどで多くの魚を得るためには、それぞれの釣り場に合わせて、いくつかの条件があり、これらの条件を満たすことによって比較的容易に釣果を挙げることができる。
その条件の１は潮汐の潮名である。
大潮は満潮時の潮高と干潮時の潮高の水位差が大きく，小潮は水位差が小さくなり、大潮→中潮→小潮→長潮→若潮→中潮→大潮と推移する。潮位が大きければ海中の海水の動きが活発になり、そのため海中の酸素が豊富になりプランクトンの発生がより活性化され、プランクトンを捕食する魚が多く集まり活発に動く状態になる。したがって、釣果を挙げるためには、大潮及び大潮の後に発生する中潮の時がよい。【０００５】条件の２は満潮・干潮の時刻で、海面が上げから下げ、または下げから上げに変わる瞬間の時刻であり、潮止まり（潮が動かない）の状態になる。
海水が速く動く時間帯には海中の海水の動きが活発になり、そのため海中の酸素が豊富になり、徐々にプランクトンの発生がより活性化されて次第にプランクトンを捕食する魚が多く集まり活発に動く状態になる。また、多くの魚は、満潮時になると浅場に寄ってきて釣り易くなり、干潮時になると沖の深場に移動するため釣りづらくなる。したがって、釣果を挙げる時間帯は、海水が穏やかに動く満潮前の２時間及び満潮後の２時間である。【０００６】条件の３は満潮・干潮の潮高である。
潮高は、これ以上海面が下がらないと考えられる干潮時の海面を基準面として、この基準面から上の高さを示すものである。これは、釣果を挙げる時間帯である満潮前の２時間及び満潮後の２時間の具体的な数値として、満潮・干潮の潮高の度合いを示し、参考にするものである。【０００７】条件の４は、日の出・日の入りの時刻である。
太陽光線により海水の温度は日の出とともに上昇し、日の入りから下降する。夜が白々と明けるころから朝日が昇るまでの時間帯、夕焼けが始まるころから太陽が沈むまでの時間帯は、海水の温度が著しく変化するので海中の酸素が豊富になり、プランクトンの発生がより活性化され、プランクトンを捕食する魚が多く集まり活発に動く状態になる。また、魚からも捕食するプランクトンを目視しやすい状態になる。よって、釣果を挙げる時間帯は日の出前後の約２時間及び日の入り前後の約２時間である。【０００８】条件の５は、潮流の転流時刻である。
潮汐に伴う海水の周期的な流れを潮流と言い、海峡や瀬戸などでは強い潮流が多く発生する。強い潮流は一定の方向に発生し、およそ６時間で反対方向に変わり、潮が動かない→穏やかに動く→速く動く→穏やかに動く→潮が動かない、の周期で動く。潮流が速く動くときは、満潮・干潮の発生も伴って海中は大きく攪拌され、これにより海中の酸素が非常に豊富になり、プランクトンの発生がより一層活性化され、徐々にプランクトンを捕食する魚が多く集まり始め、次第に活発に動く状態になる。したがって、釣果を挙げる時間帯は、潮流の始まりの時間（潮流の転流時刻）の前の約２時間および、後の約１時間の潮流が穏やかに動く時間帯である。【０００９】条件の６は、潮流の最強流速である。
潮流の最強流速は、潮流が最も速く動く時の速度であり、ノットで表示される。釣果を挙げる時間帯の潮流の始まりの時間（潮流の転流時刻）の前の約２時間および、後の約１時間の時間帯の具体的な数値として、潮流の速さの度合を示し参考にするものである。【００１０】以上の６つの条件のうち、第１の条件である潮汐の潮名、第２の条件である満潮・干潮の時刻、第３の条件である満潮・干潮の潮高は、従来の潮汐表にも示されており、これらの項目を参考にすることができるが、環境の異なる場所で釣果を挙げるためには、場所に応じた潮流の方向や速さなどの条件を考慮する必要があり、簡単な潮汐表にはそれらの条件に該当する項目は記載されておらず、頻繁に訪れた釣り場での経験に頼っており、初めての釣り場や、潮の流れが変化する海峡や瀬戸など特定の地区においては従来の潮汐表の資料だけでは不十分であった。
【課題を解決するための手段】
【００１１】本考案は、地区ごとに、地区名、日付、曜日、月齢、潮汐の潮名、満潮・干潮の時刻、満潮時・干潮時の潮高を表にして掲載した潮時表において、潮流の変化が発生する特定の地区には、前記の項目とともに、旧暦、潮流の方向、潮流の転流時刻、潮流の最強流速、日の出・日の入りの時刻のうち、その地区で必要と思われる項目を加えて一覧に掲載している。【００１２】このような潮時表は、単独又は数か所の地区ごとに数か月あるいは１年間分として冊子に構成して作成するのが好ましい。
【考案の効果】
【００１３】本考案は、釣り場の地区ごとに月齢、潮汐の大きさ、満潮・干潮の時刻、潮高を表にして掲載するとともに、潮の流れが変わるなど特定の地区には、潮流の方向、潮流の転流時刻、潮流の最強流速を加えて掲載し、さらに必要と思われる地区には、日の出・日の入りの時刻を加えて掲載しているので、目的とする地区の表を見れば、その地区において釣果を挙げるために必要な条件を満たすためのデータを直ちに読み取ることができ、釣りなどに適した日時を的確に選択できる効果が得られる。【００１４】また、磯釣りや船釣りにおいても、事前に本考案の潮時表によりその地区の詳しい潮の条件を知って参考にすれば、波や暗礁などによる事故を未然に防ぐことができる。
【考案を実施するための最良の形態】
【００１５】図１は潮流が速く、流れの方向が変化する地区、たとえば下関の壇之浦地区の実施例を示す正面図で、（ａ）は表の左側欄、（ｂ）は表の右側欄を示している。１は日付、２は曜日、３は旧暦、４は月齢（月の満ち欠け）、５は潮汐の潮名、６は満潮の時刻、７は満潮時の潮高、８は干潮の時刻、９は干潮時の潮の高さ、１０は地区名で、これら左側は従来の表とほぼ同様であるが、これに加えて、潮流を発生する海峡または瀬戸の名称１１、潮流の方向１２、流れの方向ごとの潮流の転流時刻１３と潮流の最強流速１４、さらに日の出の時刻１５、日の入りの時刻１６の項目を並べて掲載している。【００１６】図２は別の実施例で、明石・洲本地区の潮時表で、左側欄（ａ）に、日付１、曜日２、旧暦３、潮汐の大きさ５、明石における満潮の時刻６、干潮の時刻８、洲本における満潮の時刻６、干潮の時刻８を表示し、右側欄（ｂ）に、潮流を発生する海峡の名称１１、潮流の方向１２、流れの方向ごとの潮流の転流時刻１３、潮流の最強流速１４、日の出の時刻１５、日の入りの時刻１６を表示した項目を掲載している。【００１７】図３はさらに別の実施例で、名古屋港の潮時表で、満潮の時刻６、干潮の時刻８に加えて、日の出の時刻１５、日の入りの時刻１６を加えている。
【図面の簡単な説明】
【００１８】
【図１】本考案の実施例で、下関の壇之浦地区の表を示す正面図である。
【図２】本考案の別の実施例で、明石・洲本地区の表を示す正面図である。
【図３】本考案のさらに別の実施例で、名古屋港の表を示す正面図である。
【符号の説明】
【００１９】１  日付
２  曜日
３  旧暦
４  月齢
５  潮汐の潮名
６  満潮の時刻
７  満潮時の潮高
８  干潮の時刻
９  干潮時の潮高
１０  地区名
１１  潮流を発生する場所
１２  潮流の方向
１３  潮流の転流時刻
１４  潮流の最強流速
１５  日の出の時刻
１６  日の入りの時刻
【手続補正３】
【補正対象書類名】図面
【補正対象項目名】図４
【補正方法】削除
【補正の内容】
【手続補正書】
【提出日】平成20年11月21日(2008.11.21)
【手続補正１】
【補正対象書類名】実用新案登録請求の範囲
【補正対象項目名】全文
【補正方法】変更
【補正の内容】
【実用新案登録請求の範囲】
【請求項１】
複数の地区の、地区名、日付、曜日、月齢、潮汐の潮名、満潮・干潮の時刻、満潮時・干潮時の潮高を表にして掲載した冊子を構成し、潮流の変化が発生する地区の表は、前記項目を記載した欄とともに、旧暦、潮流の方向、潮流の転流時刻、潮流の最強流速、日の出・日の入りの時刻のうち、その地区で必要とする項目の欄を加えて形成していることを特徴とする潮時表。
【手続補正２】
【補正対象書類名】明細書
【補正対象項目名】００１１
【補正方法】変更
【補正の内容】
【００１１】本考案は、従来の潮時表に記載された項目に加え、潮流の変化が発生する特定の地区において必要な資料となる項目を加えた表を形成し、携行できる冊子に構成した潮時表を提供する。このため、複数地区の、地区名、日付、曜日、月齢、潮汐の潮名、満潮・干潮の時刻、満潮時・干潮時の潮高を表にして掲載した冊子を構成し、潮流の変化が発生する特定の地区の表には、前記の項目とともに、旧暦、潮流の方向、潮流の転流時刻、潮流の最強流速、日の出・日の入りの時刻のうち、その地区で必要と思われる項目の欄を加えて日付順に各項目を並べて形成している。
【手続補正３】
【補正対象書類名】明細書
【補正対象項目名】００１２
【補正方法】変更
【補正の内容】
【００１２】このような潮時表は、数か所の地区ごとに数か月あるいは１年間分として冊子に構成して作成するのが好ましい。
【手続補正４】
【補正対象書類名】明細書
【補正対象項目名】００１３
【補正方法】変更
【補正の内容】
【００１３】本考案は、釣り場の地区ごとに月齢、潮汐の大きさ、満潮・干潮の時刻、潮高を表にして掲載するとともに、潮の流れが変わるなど特定の地区には、潮流の方向、潮流の転流時刻、潮流の最強流速の欄を加えた表を形成し、さらに必要と思われる地区には、日の出・日の入りの時刻の欄を加えているので、目的とする地区の表を見れば、その地区において釣果を挙げるために必要な条件を満たすためのデータを直ちに読み取ることができ、釣りなどに適した日時を的確に選択できる効果が得られる。
【手続補正５】
【補正対象書類名】明細書
【補正対象項目名】００１５
【補正方法】変更
【補正の内容】
【００１５】図１は潮流が速く、流れの方向が変化する地区、たとえば下関の壇之浦地区の実施例を示す表の正面図で、（ａ）は表の左側欄、（ｂ）は表の右側欄を示している。１は日付、２は曜日、３は旧暦、４は月齢（月の満ち欠け）、５は潮汐の潮名、６は満潮の時刻、７は満潮時の潮高、８は干潮の時刻、９は干潮時の潮の高さ、１０は地区名で、これら左側は従来の表とほぼ同様であるが、これに加えて、潮流を発生する海峡または瀬戸の名称１１、潮流の方向１２、流れの方向ごとの潮流の転流時刻１３と潮流の最強流速１４、さらに日の出の時刻１５、日の入りの時刻１６の項目の欄を並べて形成している。
【手続補正６】
【補正対象書類名】明細書
【補正対象項目名】００１６
【補正方法】変更
【補正の内容】
【００１６】図２は、明石・洲本地区の実施例を示す表の正面図で、左側欄（ａ）に、日付１、曜日２、旧暦３、潮汐の大きさ５、明石における満潮の時刻６、干潮の時刻８、洲本における満潮の時刻６、干潮の時刻８を表示し、右側欄（ｂ）に、潮流を発生する海峡の名称１１、潮流の方向１２、流れの方向ごとの潮流の転流時刻１３、潮流の最強流速１４、日の出の時刻１５、日の入りの時刻１６を表示した項目の欄を並べて形成している。
【手続補正７】
【補正対象書類名】明細書
【補正対象項目名】００１８
【補正方法】変更
【補正の内容】
【００１８】
【図１】本考案の実施例の一部分を示す正面図で、下関の壇之浦地区の表である。
【図２】本考案の別の実施例の一部分を示す正面図で、明石・洲本地区の表である。
【図３】本考案のさらに別の実施例の一部分を示す正面図で、名古屋港の表である。